(57)【要約】【課題】  ブラスト処理部からのブラスト排水を効率良く再利用できるアイスブラスト装置のブラスト排水再利用システムを提供する。【解決手段】  氷粒を水とともに噴射してワークＷの表面をアイスブラスト処理するブラスト処理部１から排出されるブラスト排水をブラスト排水タンク９に回収し、ブラスト排水タンク９内に回収されたブラスト排水を、洗浄ステーションの洗浄排水タンク２２内の洗浄排水量の減少及び機械加工ステーションの集中クーラントタンク３２内のクーラント量の減少に応じて順次供給する。洗浄ステーションにおいて新たな洗浄液の使用量の大幅な削減ができ、かつ機械加工ステーションにおいて新たな希釈液の使用量の大幅な削減ができるとともにブラスト排水が効率良く再利用でき、アイスブラスト処理、洗浄処理及び機械加工処理における全体の水消費量を大幅に削減することができる。【選択図】  図１
2006095642.tif 000002
【特許請求の範囲】
【請求項１】
ワークの表面をアイスブラスト処理するアイスブラスト装置のブラスト排水再利用システムにおいて、
ワークの表面をアイスブラスト処理するブラスト処理ステーション及び該アイスブラスト処理の前処理となるワークを洗浄処理する洗浄ステーションを有し、
上記アイスブラスト処理ステーションにおいて製氷機で生成された氷粒を水とともにブラスト処理部に設置されたワークに噴射して、該ワークの表面をアイスブラスト処理するブラスト処理部及び該ブラスト処理部からのブラスト排水を回収するブラスト排水タンクを備えたアイスブラスト装置と、
上記洗浄ステーションにおいて洗浄処理部でワークを洗浄した洗浄排水を洗浄排水タンクに回収しかつ該洗浄排水タンクに回収された洗浄排水をワーク洗浄に再利用する洗浄装置と、
上記洗浄排水タンク内の洗浄排水量を検出する洗浄排水センサと、
上記ブラスト排水タンクから洗浄排水タンクにブラスト排水を供給する補給ポンプと、を備え、
上記洗浄排水センサが所定量以下の洗浄排水量を検出したときに上記補給ポンプにより上記ブラスト排水タンクから洗浄排水タンクにブラスト排水を供給することを特徴とするアイスブラスト装置のブラスト排水再利用システム。
【請求項２】
ワークの表面をアイスブラスト処理するアイスブラスト装置のブラスト排水再利用システムにおいて、
ワークの表面をアイスブラスト処理するブラスト処理ステーション及び該アイスブラスト処理の前処理となるワークを機械加工する機械加工ステーションを有し、
上記アイスブラスト処理ステーションにおいて製氷機で生成された氷粒を水とともにブラスト処理部に設置されたワークに噴射して、該ワークの表面をアイスブラスト処理するブラスト処理部及び該ブラスト処理部からのブラスト排水を回収するブラスト排水タンクを備えたアイスブラスト装置と、
上記機械加工ステーションにおいて機械加工処理部でワークの機械加工時に使用されるクーラントを収容するクーラントタンクを備えた機械加工装置と、
上記クーラントタンク内のクーラント量を検出するクーラントセンサと、
上記ブラスト排水タンクからクーラントタンクにブラスト排水を供給する補給ポンプと、を備え、
上記クーラントセンサが所定量以下のクーラント量を検出したときに上記補給ポンプにより上記ブラスト排水タンクからクーラントタンクにブラスト排水を供給することを特徴とするアイスブラスト装置のブラスト排水再利用システム。
【請求項３】
ワークの表面をアイスブラスト処理するアイスブラスト装置のブラスト排水再利用システムにおいて、
ワークの表面をアイスブラスト処理するブラスト処理ステーション、該アイスブラスト処理の前処理となるワークを洗浄処理する洗浄ステーション、該洗浄処理の前処理となるワークを機械加工する機械加工ステーションを有し、
上記アイスブラスト処理ステーションにおいて製氷機で生成された氷粒を水とともにブラスト処理部に設置されたワークに噴射して、該ワークの表面をアイスブラスト処理するブラスト処理部及び該ブラスト処理部からのブラスト排水を回収するブラスト排水タンクを備えたアイスブラスト装置と、
上記洗浄ステーションにおいて洗浄処理部でワークを洗浄した洗浄排水を洗浄排水タンクに回収しかつ該洗浄排水タンクに回収された洗浄排水をワーク洗浄に再利用する洗浄装置と、
上記機械加工ステーションにおいて機械加工処理部でワークの機械加工時に使用されるクーラントを収容するクーラントタンクを備えた機械加工装置と、
上記洗浄排水タンク内の洗浄排水量を検出する洗浄排水センサと、
上記ブラスト排水タンクから洗浄排水タンクにブラスト排水を供給するブラスト排水補給ポンプと、
上記クーラントタンク内のクーラント量を検出するクーラントセンサと、
上記洗浄排水タンクからクーラントタンクに洗浄排水を供給する洗浄排水補給ポンプと、を備え、
上記洗浄排水センサが所定量以下の洗浄排水量を検出したときに上記ブラスト排水補給ポンプにより上記ブラスト排水タンクから洗浄排水タンクにブラスト排水を供給し、
上記クーラントセンサが所定量以下のクーラント量を検出したときに上記洗浄排水補給ポンプにより上記洗浄排水タンクからクーラントタンクに洗浄排水を供給することを特徴とするアイスブラスト装置のブラスト排水再利用システム。
【請求項４】
上記製氷機への水供給路に熱交換器を設け、該熱交換器にブラスト排水タンクからのブラスト排水を供給して上記製氷機に供給される水を冷却することを特徴とする請求項１〜３のいずれか１項に記載のアイスブラスト装置のブラスト排水再利用システム。
【請求項５】
上記アイスブラスト装置は、
上記ブラスト排水タンクに回収されたブラスト排水を製氷機での氷粒生成及びアイスブラスト処理に再利用することを特徴とする請求項１〜４のいずれか１項に記載のアイスブラスト装置のブラスト排水再利用システム。
【請求項６】
上記アイスブラスト装置は、
上記製氷機への水供給路がバルブを備え、
上記ブラスト排水タンク内のブラスト排水量を検出するブラスト排水センサを備え、
上記ブラスト排水センサが所定量以下のブラスト排水量を検出したときに上記バルブを開き製氷機に水を供給することを特徴とする請求項５に記載のアイスブラスト装置のブラスト排水再利用システム。
【発明の詳細な説明】
【技術分野】
【０００１】
本発明は、氷粒を水とともに噴射してワークの表面をアイスブラスト処理するアイスブラスト装置のブラスト処理部から排出されるブラスト排水を再利用するアイスブラスト装置のブラスト排水再利用システムに関する。
【背景技術】
【０００２】
従来、シリンダブロック等のワークの表面における不規則な凹凸の研磨、表面のバリ取り、洗浄等のブラスト処理には、氷粒をワークに噴射するアイスブラスト装置が用いられている。このアイスブラスト装置では、多量の水を使用することから、水の有効利用を図るためにブラスト処理部内でワークに噴射されてブラスト処理部から排出されるブラスト排水を回収して再利用することが行われている。
【０００３】
この一例として、ブラスト処理部からのブラスト排水から油分等を分離した水をブラスト処理部内におけるワークの洗浄に使用すると共に、製氷保管部に戻して氷粒の作成に使用するものが知られている（例えば、特許文献１参照）。
【０００４】
また、他の例として、ブラスト処理部からのブラスト排水から水を分離し、その分離した水を新水とともに氷スラリ貯留槽に供給して、噴射する氷スラリの生成及び氷粒の生成に使用するものも知られている（例えば、特許文献２参照）。
【０００５】
【特許文献１】特開平８−１７４４２１号公報
【特許文献２】特開２００１−９７２８号公報
【発明の開示】
【発明が解決しようとする課題】
【０００６】
ところで、上記特許文献１にあっては、氷粒を所定圧のエアでワークに噴射してブラスト処理することから、洗浄機能が得られずワークから一旦離散した切削部材が再度ワークの表面に付着したり、吹き付けた氷粒がワークの表面に累積凝集して良好なブラスト処理が得られないことが懸念される。
【０００７】
特許文献２にあっては、氷粒と水を混合した氷スラリをワークに噴射することから洗浄機能が得られるとともにワークの表面に氷粒が累積凝集する等の不具合が回避でき良好なブラスト処理が得られる。しかし、氷粒を水とともにワークに噴射することから水の消費量が多くなる。
【０００８】
したがって、かかる点に鑑みてなされた本発明の目的は、氷粒を水とともに噴射してワークの表面をアイスブラスト処理するアイスブラスト装置のブラスト処理部からのブラスト排水を効率良く再利用できるアイスブラスト装置のブラスト排水再利用システムを提供することにある。
【課題を解決するための手段】
【０００９】
上記目的を達成する請求項１に記載のアイスブラスト装置のブラスト排水再利用システムの発明は、ワークの表面をアイスブラスト処理するアイスブラスト装置のブラスト排水再利用システムにおいて、ワークの表面をアイスブラスト処理するブラスト処理ステーション及び該アイスブラスト処理の前処理となるワークを洗浄処理する洗浄ステーションを有し、上記アイスブラスト処理ステーションにおいて製氷機で生成された氷粒を水とともにブラスト処理部に設置されたワークに噴射して、該ワークの表面をアイスブラスト処理するブラスト処理部及び該ブラスト処理部からのブラスト排水を回収するブラスト排水タンクを備えたアイスブラスト装置と、上記洗浄ステーションにおいて洗浄処理部でワークを洗浄した洗浄排水を洗浄排水タンクに回収しかつ該洗浄排水タンクに回収された洗浄排水をワーク洗浄に再利用する洗浄装置と、上記洗浄排水タンク内の洗浄排水量を検出する洗浄排水センサと、上記ブラスト排水タンクから洗浄排水タンクにブラスト排水を供給する補給ポンプと、を備え、上記洗浄排水センサが所定量以下の洗浄排水量を検出したときに上記補給ポンプにより上記ブラスト排水タンクから洗浄排水タンクにブラスト排水を供給することを特徴とする。
【００１０】
上記目的を達成する請求項２に記載のアイスブラスト装置のブラスト排水再利用システムの発明は、ワークの表面をアイスブラスト処理するアイスブラスト装置のブラスト排水再利用システムにおいて、ワークの表面をアイスブラスト処理するブラスト処理ステーション及び該アイスブラスト処理の前処理となるワークを機械加工する機械加工ステーションを有し、上記アイスブラスト処理ステーションにおいて製氷機で生成された氷粒を水とともにブラスト処理部に設置されたワークに噴射して、該ワークの表面をアイスブラスト処理するブラスト処理部及び該ブラスト処理部からのブラスト排水を回収するブラスト排水タンクを備えたアイスブラスト装置と、上記機械加工ステーションにおいて機械加工処理部でワークの機械加工時に使用されるクーラントを収容するクーラントタンクを備えた機械加工装置と、上記クーラントタンク内のクーラント量を検出するクーラントセンサと、上記ブラスト排水タンクからクーラントタンクにブラスト排水を供給する補給ポンプと、を備え、上記クーラントセンサが所定量以下のクーラント量を検出したときに上記補給ポンプにより上記ブラスト排水タンクからクーラントタンクにブラスト排水を供給することを特徴とする。
【００１１】
上記目的を達成する請求項３に記載のアイスブラスト装置のブラスト排水再利用システムの発明は、ワークの表面をアイスブラスト処理するアイスブラスト装置のブラスト排水再利用システムにおいて、ワークの表面をアイスブラスト処理するブラスト処理ステーション、該アイスブラスト処理の前処理となるワークを洗浄処理する洗浄ステーション、該洗浄処理の前処理となるワークを機械加工する機械加工ステーションを有し、上記アイスブラスト処理ステーションにおいて製氷機で生成された氷粒を水とともにブラスト処理部に設置されたワークに噴射して、該ワークの表面をアイスブラスト処理するブラスト処理部及び該ブラスト処理部からのブラスト排水を回収するブラスト排水タンクを備えたアイスブラスト装置と、上記洗浄ステーションにおいて洗浄処理部でワークを洗浄した洗浄排水を洗浄排水タンクに回収しかつ該洗浄排水タンクに回収された洗浄排水をワーク洗浄に再利用する洗浄装置と、上記機械加工ステーションにおいて機械加工処理部でワークの機械加工時に使用されるクーラントを収容するクーラントタンクを備えた機械加工装置と、上記洗浄排水タンク内の洗浄排水量を検出する洗浄排水センサと、上記ブラスト排水タンクから洗浄排水タンクにブラスト排水を供給するブラスト排水補給ポンプと、上記クーラントタンク内のクーラント量を検出するクーラントセンサと、上記洗浄排水タンクからクーラントタンクに洗浄排水を供給する洗浄排水補給ポンプと、を備え、上記洗浄排水センサが所定量以下の洗浄排水量を検出したときに上記ブラスト排水補給ポンプにより上記ブラスト排水タンクから洗浄排水タンクにブラスト排水を供給し、上記クーラントセンサが所定量以下のクーラント量を検出したときに上記洗浄排水補給ポンプにより上記洗浄排水タンクからクーラントタンクに洗浄排水を供給することを特徴とする。
【００１２】
請求項４に記載の発明は、請求項１〜３のいずれか１項に記載のアイスブラスト装置のブラスト排水再利用システムにおいて、上記製氷機への水供給路に熱交換器を設け、該熱交換器にブラスト排水タンクからのブラスト排水を供給して上記製氷機に供給される水を冷却することを特徴とする。
【００１３】
請求項５に記載の発明は、請求項１〜４のいずれか１項に記載のアイスブラスト装置のブラスト排水再利用システムにおいて、上記アイスブラスト装置は、上記ブラスト排水タンクに回収されたブラスト排水を製氷機での氷粒生成及びアイスブラスト処理に再利用することを特徴とする。
【００１４】
請求項６に記載の発明は、請求項５に記載のアイスブラスト装置のブラスト排水再利用システムにおいて、上記アイスブラスト装置は、上記製氷機への水供給路がバルブを備え、上記ブラスト排水タンク内のブラスト排水量を検出するブラスト排水センサを備え、上記ブラスト排水センサが所定量以下のブラスト排水量を検出したときに上記バルブを開き製氷機に水を供給することを特徴とする。
【発明の効果】
【００１５】
請求項１の発明によると、アイスブラスト処理の前処理である洗浄ステーションに配置された洗浄装置に設けられた洗浄排水タンク内の洗浄排水量の減少に応じてブラスト排水タンクに回収されたブラスト排水を補給ポンプにより洗浄排水タンクに供給することから、ブラスト排水が洗浄液として効率的に再利用できる。これにより洗浄ステーションにおいて新たな洗浄液を不要あるいは新たな洗浄液の使用が大幅に削減でき、アイスブラスト処理及び洗浄処理における全体の水消費量を大幅に削減することができる。
【００１６】
請求項２の発明によると、アイスブラスト処理の前処理である機械加工ステーションに配置された機械加工装置でのワークの機械加工時に使用されるクーラントを収容するクーラントタンク内のクーラント量の減少に応じてブラスト排水タンクに回収されたブラスト排水を補給ポンプによりクーラントタンクに供給することにより、ブラスト排水がクーラントの希釈液として再利用するのでブラスト排水を効率よく再利用できる。これにより機械加工ステーションにおいて新たな希釈液を不要あるいは新たな希釈液の使用が大幅に削減でき、アイスブラスト処理及び機械加工処理における全体の水消費量を大幅に削減することができる。
【００１７】
請求項３の発明によると、ブラスト排水タンク内のブラスト排水を、要求純度に応じて洗浄装置の洗浄排水タンク内の洗浄排水の減少及び機械加工装置のクーラントタンク内のクーラントの減少に伴って順次供給することで、洗浄ステーションにおいて新たな洗浄液を不要あるいは新たな洗浄液の使用量の大幅な削減ができ、かつ洗浄排水タンク内の洗浄排水を機械加工ステーションにおいてクーラントの希釈液として利用するのでブラスト排水を更に効率良く再利用できると共に、アイスブラスト処理、洗浄処理及び機械加工処理における全体の水消費量を大幅に削減することができる。
【００１８】
請求項４の発明によると、アイスブラスト処理に使用され、ブラスト排水タンク内に回収された低温のブラスト排水を製氷機への水供給路に設けた熱交換器に供給して熱交換することによって、製氷機に供給される水が予めブラスト排水によって冷却され、製氷機において氷粒を効率良く生成することができ、製氷に要する消費エネルギの削減が期待できる。
【００１９】
請求項５の発明によると、ブラスト排水タンクに回収されたブラスト排水を製氷機での氷粒及びアイスブラスト処理に再利用することで、アイスブラスト処理における水消費量を削減することができる。
【００２０】
請求項６の発明によると、ブラスト排水タンク内のブラスト排水量の減少に応じて水供給路から水を供給することから、アイスブラスト処理における新たな水の使用が大幅に削減でき、アイスブラスト処理における水消費量の削減が期待できる。
【発明を実施するための最良の形態】
【００２１】
以下、図１を参照して、本発明によるアイスブラスト装置のブラスト排水再利用システムの実施の形態について説明する。
【００２２】
本実施の形態は、機械加工ステーションに配置された機械加工装置Ｉで機械加工されたシリンダブロック等のワークＷを、洗浄ステーションに配置された洗浄装置ＩＩに搬入して洗浄処理し、洗浄装置ＩＩで洗浄されたワークＷを、ブラスト処理ステーションに配設されたアイスブラスト装置ＩＩＩのブラスト処理部１に搬入して、ワークＷに対して氷粒を水とともに噴射することにより、ワークＷの表面における不規則な凹凸の研磨、表面のバリ取り、洗浄等の表面加工、即ちアイスブラスト処理するものである。
【００２３】
アイスブラスト装置ＩＩＩには、メインバルブ３の開放によって水供給路２から水道水または工業用水等の新水が供給される。この水供給路２から供給される水はバルブ４を介して、一旦、水タンク５に収容される。
【００２４】
この水タンク５から水供給路６を介して製氷機７に供給されて氷粒が生成され、その生成された氷粒はブラスト処理部１内に設置された噴射ノズル８に供給される。この噴射ノズル８に供給された氷粒は、後述する高圧ポンプ１３によって圧送されるブラスト排水とともに噴射ノズル８から噴射される。これによりブラスト処理部１に搬入されて設置されたワークＷの表面に対して氷粒が水とともに噴射されて、ワークＷの表面がアイスブラスト処理される。
【００２５】
ブラスト処理部１内でワークＷに噴射されてブラスト処理部１から排出される冷水、即ちブラスト排水をブラスト排水タンク９に一旦回収し、このブラスト排水タンク９に回収されたブラスト排水の一部を、切粉等の不純物を除去するフィルタ１０及びタンク１１を経て、循環供給路１２を介して高圧ポンプ１３に供給して、噴射ノズル８から氷粒とともに噴射させる。
【００２６】
また、循環供給路１２から分岐して、循環供給路１２からのブラスト排水の一部はフィルタ１４を介して循環用ポンプ１５によって水タンク５に送給されるように構成されている。
【００２７】
更に、ブラスト排水タンク９にはブラスト排水タンク９内のブラスト排水量を検出するブラスト排水センサ９ａが配置され、ブラスト排水タンク９内のブラスト排水が所定量以上であるときには、バルブ４が閉じられ水供給路２からの新水の供給が停止する。
【００２８】
このバルブ４の閉鎖により、ブラスト処理部１のブラスト排水がブラスト排水タンク９に回収され、ブラスト排水タンク９からフィルタ１０、タンク１１、循環供給路１２を介して高圧ポンプ１３によって噴射ノズル８からブラスト処理部１内に噴射するブラスト排水の循環路が形成される。一方、循環供給路１２からのブラスト排水の一部がフィルタ１４を介して濾過され、所望の純度を確保した上で循環用ポンプ１５によって水タンク５に送給され、製氷機７での氷粒の生成に再利用される。
【００２９】
ブラスト排水タンク９に配置されたブラスト排水センサ９ａによってブラスト排水タンク９内のブラスト排水が所定量より少なくなったことを検出したときには、バルブ４を開き水供給路２から水タンク５内に新水が補給され、ブラスト排水タンク９内のブラスト排水が所定量以上になると、バルブ４が閉じられ水供給路２からの新水の供給が停止する。
【００３０】
これにより、ブラスト処理部１でアイスブラスト処理に使用されたブラスト排水をブラスト排水タンク９に一旦回収し、そのブラスト排水をフィルタ１０によって切粉等の不純物が除かれたブラスト排水が高圧ポンプ１３に供給され、更に純度が要求される製氷機７には更にフィルタ１４により濾過された所望の純度の製氷用水が供給されてアイスブラスト処理に再利用され、必要に応じて新水を補給することから水の消費量が大幅に削減されるとともに、安定したアイスブラスト処理が得られる。
【００３１】
また、水供給路２には熱交換器１６を設け、この熱交換器１６にブラスト排水タンク９に回収された低温のブラスト排水をブラスト排水路１７を介して供給し、熱交換器１６において熱交換して水供給路２から供給されて水タンク５に収容される新水を予め冷却する。このように熱交換器１６で熱交換して、製氷機７に供給される水を予め冷却することによって氷粒を効率良く生成することができ、製氷機７における製氷に要する消費エネルギの大幅な低減が期待できる。
【００３２】
熱交換器１６で熱交換して加温されたブラスト排水は、ブラスト排水路１８を介して後述する洗浄排水タンク２２に供給される。
【００３３】
一方、アイスブラスト処理の前処理であるワークＷを洗浄する洗浄ステーションに配設された洗浄装置ＩＩには、その洗浄処理部２１から排出されるワークＷを洗浄した後の洗浄排水を回収する洗浄排水タンク２２を設ける。
【００３４】
この洗浄排水タンク２２に収容された洗浄排水の一部は、フィルタ２３、タンク２４及びポンプ２５及び洗浄水供給路２６を経て、洗浄処理部２１に配置された洗浄ノズル２７から噴射させて、洗浄処理部２１に搬入して設置されたワークＷの洗浄液として再利用する。
【００３５】
また、洗浄排水タンク２２に配置された洗浄排水センサ２２ａによって洗浄排水タンク２２内の洗浄排水が所定量より少なくなったことを検出したときには、バルブ１９を開きかつブラスト排水補給ポンプ２０を作動させてブラスト排水路１８からブラスト排水を洗浄排水タンク２２内に補給し、洗浄排水タンク２２内のブラスト排水が所定量以上になると、バルブ１９が閉じられかつブラスト排水補給ポンプ２０が停止し、ブラスト排水路１８からのブラスト排水の供給が停止する。
【００３６】
また、洗浄処理の前処理であるワークＷに機械加工を施す機械加工ステーションＩには、排出されるワークＷの切削加工時に使用されて機械加工処理部３１から排出されるクーラントを回収する集中クーラントタンク３２を設ける。この集中クーラントタンク３２には、洗浄ステーションＩＩの洗浄排水タンク２２に収容された洗浄排水を、クーラントの希釈液として供給し、ここで希釈されたクーラントを機械加工処理部３１に配置されたクーラント吐出ノズル３３から吐出させて再利用する。
【００３７】
このため、洗浄排水タンク２２と集中クーラントタンク３２との間を連結する洗浄排水路２８にはバルブ２９及び洗浄排水補給ポンプ３０が介装され、集中クーラントタンク３２に配置されたクーラントセンサ３２ａによって集中クーラントタンク３２内のクーラントが所定量より少なくなったことを検出したときには、バルブ２９を開きかつ洗浄排水補給ポンプ３０を作動させて洗浄排水路２８から洗浄排水を集中クーラントタンク３２内に補給し、集中クーラントタンク３２内のクーラントが所定量以上になると、バルブ２９が閉じられかつ洗浄排水補給用ポンプ３０が停止し、洗浄排水路２８からの洗浄排水の供給が停止する。
【００３８】
以上のように本実施の形態では、アイスブラスト装置ＩＩＩのブラスト処理部１でアイスブラスト処理に使用されたブラスト排水をブラスト排水タンク９に一旦回収し、そのブラスト排水をフィルタ１０によって切粉等の不純物が除かれたブラスト排水が高圧ポンプ１３に供給される。更に純度が要求される製氷機７には更にフィルタ１４により濾過された所望の純度の製氷用水が供給されてアイスブラスト処理に再利用され、ブラスト排水タンク９内のブラスト排水量を検出して必要に応じて水を補給することから大幅な水の消費量が削減されるとともに、安定したアイスブラスト処理が得られる。
【００３９】
また、アイスブラスト処理の前処理である洗浄装置ＩＩにおいて洗浄処理部２１で洗浄に使用された洗浄排水を一旦洗浄排水タンク２２に回収し、洗浄に再利用するとともに洗浄排水タンク２２内の洗浄排水量を検出して必要に応じて、ブラスト排水補給ポンプ２０によってブラスト排水タンク９からブラスト排水を洗浄排水タンク２２に補給し、更に洗浄処理の前処理である機械加工装置Ｉで機械加工時に使用される集中クーラントタンク３２内のクーラント量を検出して必要に応じて洗浄排水補給ポンプ３０によって洗浄排水を補給することにより、要求純度に応じてワークＷに対するアイスブラスト処理の前処理である洗浄ステーションの洗浄装置ＩＩ及び洗浄処理の前処理である機械加工ステーションの機械加工装置１に順次供給してワークＷの洗浄液として、またクーラントの希釈液として利用することができる。これにより、洗浄装置ＩＩにおいて新たな洗浄液が不要あるいは新たな洗浄液の消費が大幅に削減でき、かつ機械加工装置Ｉにおいてクーラントの希釈液として利用できて新たな希釈液を不要にあるいは希釈液の消費が大幅に削減できるので、ブラスト排水を更に効率良く再利用できる。したがって、アイスブラスト処理、洗浄処理及び機械加工処理における全体の新水の消費量を大幅に削減できる。
【００４０】
なお、本発明は上記実施の形態に限定されるものではなく、発明の趣旨を逸脱しない範囲で種々の変更が可能である。例えば、図１において、アイスブラスト装置ＩＩＩの熱交換器１６は、水タンク５と製氷機７とを連結する水供給路６に配置することもできる。このようにすれば、製氷機７に供給される水が直前で冷却されるので、氷粒をより効率良く生成することができ、製氷に要するエネルギの消費が更に抑制できる。また、熱交換器１６を経たブラスト排水は、その後は再利用することなく排出することもできるし、洗浄装置ＩＩの洗浄排水タンク２２にのみ、あるいは機械加工装置１の集中クーラントタンク３２にのみ供給して再利用することもできる。
【００４１】
ここで、熱交換器１６を経たブラスト排水を洗浄装置ＩＩにのみ供給する場合は、洗浄装置ＩＩにおいて新たな洗浄液を不要あるいは新たな洗浄液の大幅な使用量の削減ができ、アイスブラスト処理及び洗浄処理における全体の新水の消費量を削減できる。また、熱交換器１６を経たブラスト排水を機械加工装置Ｉにのみ供給する場合は、アイスブラスト処理及び機械加工処理における全体の新水の消費量を削減できる。
【００４２】
また、図１において、アイスブラスト装置ＩＩＩに熱交換器１６を設けることなく、ブラスト排水タンク９に収容されたブラスト排水を洗浄装置ＩＩあるいは機械加工装置Ｉに供給して再利用したり、洗浄装置ＩＩ及び機械加工装置Ｉに順次供給して再利用したりすることもできる。ここで、ブラスト排水を洗浄装置ＩＩに供給して再利用する場合には、洗浄装置ＩＩにおいて新たな洗浄液が不要あるいは新たな洗浄液の使用量が大幅に削減でき、アイスブラスト処理及び洗浄処理における全体の新水の消費量を削減できる。また、ブラスト排水を機械加工装置Ｉに供給して再利用する場合には、機械加工装置Ｉにおいて新たな希釈液を不要あるいは大幅に削減でき、アイスブラスト処理及び機械加工処理における全体の新水の消費量を削減することができる。また、ブラスト排水を洗浄装置ＩＩ及び機械加工装置Ｉに順次供給して再利用する場合には、洗浄装置ＩＩにおいて新たな洗浄液を不要あるいは大幅に削減できると共に、機械加工装置Ｉにおいて新たな希釈液を不要あるいは大幅に削減でき、アイスブラスト処理、洗浄処理及び機械加工処理における全体の新水の消費量を削減できる。
【図面の簡単な説明】
【００４３】
【図１】本発明によるアイスブラスト装置のブラスト排水再利用システムの実施の形態を示す図である。
【符号の説明】
【００４４】
Ｉ        機械加工装置
ＩＩ      洗浄装置
ＩＩＩ    アイスブラスト装置
１        ブラスト処理部
２        水供給路
４        バルブ
５        水タンク
６        水供給路
７        製氷機
８        噴射ノズル
９        ブラスト排水タンク
９ａ      ブラスト排水センサ
１３      高圧ポンプ
１４      フィルタ
１５      循環用ポンプ
１６      熱交換器
１７、１８  ブラスト排水路
１９      バルブ
２０      ブラスト排水補給ポンプ
２１      洗浄処理部
２２      洗浄排水タンク
２２ａ    洗浄排水センサ
２８      洗浄排水路
２９      バルブ
３０      洗浄排水補給ポンプ
３１      機械加工処理部
３２      集中クーラントタンク（クーラントタンク）
３２ａ    クーラントセンサ
Ｗ        ワーク
【図１】
2006095642.tif 000003